(57)【要約】  ネットワークにおける通信ネットワーク及び端末（ＵＥ）の動作方法は、少なくとも１つの入力パラメータに従う複数の相互作用情報を得るための少なくとも１つの入力パラメータとともに使用可能なアルゴリズムを端末に提供し、ネットワークから上記少なくとも１つの入力パラメータを端末に送信し、上記受信された少なくとも１つのパラメータに従う複数の相互作用情報を得るために、上記受信された少なくとも１つの入力パラメータとともに上記アルゴリズムを使用し、上記端末と上記ネットワークとの間の少なくとも１つの相互作用を決定するために上記得られた複数の相互作用情報を使用することを含む。
2010541453.tif 000002
【特許請求の範囲】
【請求項１】
通信ネットワークと相互作用情報に従って相互作用する端末（ＵＥ）の動作方法であって、
少なくとも１つの入力パラメータに従う複数の相互作用情報を得るようにするために、前記少なくとも１つの入力パラメータとともに使用可能なアルゴリズムを前記端末に提供するステップと、
前記ネットワークから前記少なくとも１つの入力パラメータを前記端末に送信するステップと、
前記受信した少なくとも１つの入力パラメータとともに前記アルゴリズムを用いて複数の相互作用情報を決定するステップと、
前記決定された複数の相互作用情報を用いて前記端末と前記ネットワークとの間に少なくとも１つの相互作用を決定するステップと
を具備することを特徴とする動作方法。
【請求項２】
前記送信された少なくとも１つの入力パラメータは、前記ネットワークの領域又は一部分のサイズ、形態、又は位置の中の少なくとも１つを示す入力パラメータを含むことを特徴とする請求項１に記載の動作方法。
【請求項３】
前記決定された複数の相互作用情報は、特定の位置又は領域が前記ネットワークの領域又は一部分内にあるか否かを示す指示を含むことを特徴とする請求項２に記載の動作方法。
【請求項４】
前記特定の位置又は領域が前記端末が現在位置している位置又は領域であることを特徴とする請求項３に記載の動作方法。
【請求項５】
前記決定された複数の相互作用情報は、前記ネットワークの領域又は一部分を定義するトラッキングエリア（ＴＡ）のＴＡコードのリストを含むことを特徴とする請求項２に記載の動作方法。
【請求項６】
前記決定された複数の相互作用情報は、特定のＴＡが前記定義された領域又は一部分内にあるか否かを示す指示をさらに含むことを特徴とする請求項５に記載の動作方法。
【請求項７】
前記特定のＴＡは、前記端末が現在位置しているＴＡであることを特徴とする請求項６に記載の動作方法。
【請求項８】
前記決定された複数の相互作用情報を使用するステップは、前記端末が前記ネットワークの領域又は一部分内に位置していない場合に前記端末からメッセージを前記ネットワークに送信するステップをさらに含むことを特徴とする請求項４に記載の動作方法。
【請求項９】
前記ネットワークの領域又は一部分は、前記端末が位置して登録された領域又は一部分であり、前記端末からメッセージを送信するステップは、前記ネットワークとともに前記端末が登録された位置をアップデートするためにメッセージを送信するステップをさらに含むことを特徴とする請求項８に記載の動作方法。
【請求項１０】
前記送信された少なくとも１つの入力パラメータは、ＴＡ識別コードの範囲を示す入力パラメータを含むことを特徴とする請求項１に記載の動作方法。
【請求項１１】
前記決定された複数の相互作用情報は、前記範囲にある前記ＴＡ識別コードのリストをさらに含むことを特徴とする請求項１０に記載の動作方法。
【請求項１２】
前記決定された複数の相互作用情報は、特定のＴＡ識別コードが前記範囲内にあるか否かを示す指示をさらに含むことを特徴とする請求項１０に記載の動作方法。
【請求項１３】
前記特定のＴＡ識別コードは、前記端末が現在位置しているＴＡの識別コードであることを特徴とする請求項１２に記載の動作方法。
【請求項１４】
前記送信された少なくとも１つの入力パラメータは、前記ネットワークの基地局の各々に対応するインターネットプロトコル（ＩＰ）アドレスの範囲を示す入力パラメータを具備することを特徴とする請求項１に記載の動作方法。
【請求項１５】
前記決定された複数の相互作用情報は、前記範囲内にある前記ＩＰアドレスのリストを含むことを特徴とする請求項１４に記載の動作方法。
【請求項１６】
前記決定された複数の相互作用情報は、特定のＩＰアドレスが前記範囲内にあるか否かを示す指示を含むことを特徴とする請求項１４に記載の動作方法。
【請求項１７】
前記特定のＩＰアドレスは、前記端末が現在相互作用しているＥ−ＵＴＲＡＮ基地局（ｅＮＢ）のＩＰアドレスであることを特徴とする請求項１６に記載の動作方法。
【請求項１８】
複数のトラッキングエリア（ＴＡ）を含むセルラー通信ネットワーク及び端末（ＵＥ）の動作方法であって、
前記端末が複数のＴＡにより定義された登録領域内で動作のために前記ネットワークに登録するステップと、
前記登録領域を定義する前記複数のＴＡを識別する第１のリストを前記ネットワークから前記端末に送信するステップとを具備し、
前記第１のリストを送信するステップは、Ｅ−ＵＴＲＡＮ基地局（ｅＮＢ）に対する前記第１のリストを含むシグナリングインターフェース（Ｓ１）メッセージを送信するステップと、前記基地局から前記第１のリストを含む複数のデータパケットを前記端末に送信するステップとを含むことを特徴とする動作方法。
【請求項１９】
前記Ｓ１インターフェースメッセージは、Ｓ１−アプリケーションパート（ＡＰ）信号又はＳ１直接送信メッセージであることを特徴とする請求項１８に記載の動作方法。
【請求項２０】
前記Ｓ１インターフェースメッセージに合わせるために前記第１のリストのサイズを調整するステップをさらに具備することを特徴とする請求項１８に記載の動作方法。
【請求項２１】
前記送信されたＳ１インターフェースメッセージは、付加データを含むことを特徴とする請求項１８に記載の動作方法。
【請求項２２】
前記付加データとともに前記Ｓ１インターフェースメッセージに合わせるために前記第１のリストのサイズを調整するステップをさらに具備することを特徴とする請求項２１に記載の動作方法。
【請求項２３】
更なる複数のＴＡと、前記端末に前記ネットワークにアクセスするようにする複数の限定加入者グループとを識別する第２のリストを前記ネットワークから前記端末に送信するステップをさらに具備し、
前記第２のリストを送信するステップは、前記第１のリストと同一のＳ１インターフェースメッセージに含まれている前記第２のリストを送信し、前記複数のデータパケットは、前記第１のリストと前記第２のリストとを含むことを特徴とする請求項２０に記載の動作方法。
【請求項２４】
前記第１のリスト及び前記第２のリストを前記Ｓ１インターフェースメッセージに合せるように前記第１のリスト及び前記第２のリストの中の少なくとも１つのサイズを調整するステップをさらに具備することを特徴とする請求項２３に記載の動作方法。
【請求項２５】
前記Ｓ１インターフェースメッセージは、付加のデータを具備し、前記調整するステップは、前記付加のデータとともに前記第１のリスト及び前記第２のリストを前記Ｓ１インターフェースメッセージに合せるように前記第１のリスト及び前記第２のリストの中の少なくとも１つのサイズを調整するステップをさらに含むことを特徴とする請求項２４に記載の動作方法。
【請求項２６】
前記第１のリスト及び前記第２のリストのサイズをそれぞれ調整するステップをさらに具備することを特徴とする請求項２４に記載の動作方法。
【請求項２７】
前記Ｓ１インターフェースメッセージは、最大長さを有し、前記第２のリスト及び付加のデータとともに前記第１のリストが前記最大長さ以下を占める場合に、前記Ｓ１インターフェースメッセージの長さを切り捨てるステップをさらに具備することを特徴とする請求項１８に記載の動作方法。
【請求項２８】
前記長さを切り捨てるステップは、終了指示子とともに前記Ｓ１インターフェースメッセージを終了するステップを具備することを特徴とする請求項２７に記載の動作方法。
【請求項２９】
前記端末が前記リスト又は複数のリストを含む前記複数のデータパケットを受信するステップと、前記端末で前記受信されたリスト又は複数のリストを処理するステップとをさらに具備することを特徴とする請求項１８に記載の動作方法。
【請求項３０】
前記処理するステップは、特定のＴＡが前記リストの中の１つで識別されたＴＡであるか否かを決定するステップを具備することを特徴とする請求項２９に記載の動作方法。
【請求項３１】
前記端末が現在位置しているＴＡが前記第１のリストで識別されるか否かを決定し、現在のＴＡが前記第１のリストで識別されない場合には、前記端末からメッセージを前記ネットワークに送信するステップを具備することを特徴とする請求項３０に記載の動作方法。
【発明の詳細な説明】
【技術分野】
【０００１】
本発明は、一般的に移動通信での方法及び装置に関し、特に、端末（ＵＥ）が相互作用情報に従ってネットワークと相互作用通信を行うための通信ネットワークに関する。
【背景技術】
【０００２】
システムアーキテクチャワーキンググループ２（ＳＡ２）、無線アクセスネットワーク２（ＲＡＮ２）及びＣＴ１の第３世代パートナーシッププロジェクト（３ＧＰＰ）技術仕様化グループ（ＴＳＧ）ワーキンググループ（ＷＧ）は、端末（以下、“ＵＥ”と称する。）が向上したパケットシステム（ＥＰＳ）に登録するか又はその登録をアップデートする際にトラッキングエリア（ＴＡ）のリストの提供を受けることに同意した。マルチＴＡ（複数のＴＡ）というＴＡのリストは、ＵＥがマルチＴＡリストに含まれているＴＡ内で移動する間に、ＵＥがＥＰＳへの登録を維持するために周期的なＴＡ更新手続きを実行すべきことをＵＥに通知する。このような概念は、３ＧＰＰ  ＴＳ  ２３．４０１に記述されている。
【０００３】
ＲＡＮ２及びＣＴ１について、ホームＥ−ＵＴＲＡＮノードＢ（ホームｅＮＢ）特性の認識及びキャンパスＮＢ特性は、ＵＥが登録された“許可された”ＴＡの“ホワイトリスト”の使用を介してなされなければならない。ホームｅＮＢ及びキャンパスＮＢの概念とこれらの配置シナリオに対する背景は、ホワイトＴＡリストのワーキングに関する議論を提供するＣ１−０７１６６９とともに、３ＧＰＰ文書Ｃ１−０７１６６７、Ｃ１−０７１６６８で論議される。
【０００４】
ＴＳ２３．４０１及びＴＲ２４．８０１から、ＵＥの移動性制御は、ＵＥが登録されており、サービスを得ることができるＴＡリストをＵＥに導入することにより可能となることが明白である。ＵＥがＴＡリストにより区分されるＴＡ内で移動する間に、ＵＥは、周期的なアップデートを実行するもの以外に新たな位置の向上したパケットコア（ＥＰＣ）を更新する必要がない。このＴＡリストは、ＵＥがＴＡリストに含まれていない他のＴＡに移動する際に更新されるはずである。ＴＡリストは、マルチＴＡリストというすべてのＴＡ内で拡張された移動性を許可する。
【０００５】
その上、ＲＡＮ２及びＣＴ１の３ＧＰＰ  ＴＳＧ  ＷＧｓは、ホームｅＮＢ及びキャンパスＮＢシナリオの要求を解決するために、ＵＥがホームｅＮＢ（すなわち、ロングタームエボルーション（ＬＴＥ）システムの基地局）及び／又はキャンパス／ビジネス機関ＮＢに関するサービスを希望する場合に、ＵＥがアクセスすることができるＴＡの識別情報（identity）を認識しなければならない。特に、ＴＡリストＵＥがホームｅＮＢ及び／又はキャンパス／ビジネス機関ＮＢにキャンプし、これに関連したサービスを受信するＴＡを識別する。このリストは、ＵＥがキャンプすることができないＴＡに対するリストではなく、ＵＥがキャンプすることができるＴＡの肯定的な暗示（positive indication）であるためにホワイトＴＡリストという。
【０００６】
したがって、目標は、マルチＴＡリスト及びホワイトＴＡリストをＵＥに提供するものであるため、例えば、どのようにこのＴＡリストが構成され、どのくらい多くのＴＡがこのようなＴＡリストに含まれなければならず、どのシグナリングプロトコルメッセージがこのＴＡリストを送信しなければならないかを決定するための作業がなされなければならない。
【０００７】
従来技術の問題点、特に、どのくらい多くのＴＡがＴＡリストに含まれなければならないかに関する問題をさらによく理解するためにホワイトＴＡリストを分析する。Ｃ１−０７１６６８で論議された通りに、ホームｅＮＢ配置が数百万内にあり、キャンパス配置が数十万内にあるものと予想される。
【０００８】
個々のホームオーナーは、６個以上のホームｅＮＢを有し駆動する可能性が低いが、ホテル前提又は商業用事業は、約数百個のｅＮＢを有するキャンパス配置を有する可能性が高い。数百個のＴＡ識別情報を含むリストをＵＥに提供することは、リストがあまり膨大であり、送信遅延を誘発し、ＵＥ及びＥＰＣの管理及び維持に難しさがあるために非現実的である。
【０００９】
同一の問題がマルチＴＡリストにも適用される。ＵＥがマルチＴＡリストにより識別されるＴＡ内にある際には、トラッキングエリアアップデート（ＴＡＵ）手続きを実行する必要がない。したがって、より大きいマルチＴＡリストは、ＵＥがＴＡＵ（アイドルモードにある場合に周期的なＴＡＵを除外する）を実行せずに移動することができる物理的な領域がさらに大きい。ＬＴＥセルが非常に大きくないことを考慮すると、ＴＡのサイズは、ロケーションエリア（ＬＡ）のサイズと同一でなく、ＴＡ識別情報が１つ以上のＬＴＥセルで共有されることができるとしてもルーティングエリア（ＲＡ）のサイズより大きい。
【００１０】
このような考えは、汎用パケット無線サービス（General Packet Radio Service：ＧＰＲＳ）及びユニバーサル移動通信システム（Universal Mobile Telecommunication System：ＵＭＴＳ）での頻繁なルーティングエリアアップデート（ＲＡＵ）を引き起こすことができるために、ＵＥからの過度なＴＡＵ問題を解決するためのマルチＴＡに対する要求に基づく。与えられたＴＡ識別情報が少数のＬＴＥセル間のみで共通であり、全ＬＴＥセルの個数が非常に大きい場合に、マルチＴＡを効率的に使用するために、マルチＴＡリストは、幾つかのＴＡだけで保持されるのでなく、数十個以上のＴＡを有しなければならない。このようなマルチＴＡリストを伝達するシグナリングメッセージは、非常に大きい可能性がある。
【００１１】
標準ワーキンググループでは、各ｅＮＢが相異なる（unique）ＴＡを有するものと見なされる。
【００１２】
問題を悪化させることは、ＥＰＣからＵＥに伝達されなければならないＴＡリストが１つ以上、すなわち、マルチＴＡリスト及びホワイトＴＡリストが存在するのにある。また、付加のリストがＵＥに伝達されることがある。例えば、禁止ＴＡリストを提供するための提案が出された。その上、同一のＮＡＳ（Non-Access Stratum）シグナリングメッセージに提供されなければならないｅＰＬＭＮ（equivalent Public Land Mobile Network）のリストがすでに存在する。
【００１３】
問題をさらに悪化させるために、マルチＴＡ及び／又はホワイトＴＡリストに対するＴＡの個数が固定されると、無線プランニングの場合を使用することができず、どのくらい多くの又は少ないＬＴＥセル又はＴＡが必要であるかに対する新たな配置シナリオがネットワークの異なる部分に供給される。すなわち、固定された個数のＴＡは、すべてのネットワークの動作状況に合わないかもしれない。
【００１４】
現在、このような従来技術の問題点に対する解決方案がない。例えば、３ＧＰＰ ＴＲ ２４．８０１、バージョン０．３．０において、ＵＥ当たり割り当てられることができるトラッキングエリアの最大個数が定義されなければならないことが知られている。
【００１５】
コアネットワーク（ＣＮ）がＵＥに伝達するｅＰＬＭＮの個数及び従来の送信技術に関連して、現在の３ＧＰＰ ＴＲ ２４．００８は、ＬＯＣＡＴＩＯＮ＿ＵＰＤＡＴＩＮＧ＿ＡＣＣＥＰＴ、ＡＴＴＡＣＨ＿ＡＣＣＥＰＴ、及びＲＯＵＴＩＮＧ＿ＡＲＥＡ＿ＵＰＤＡＴＥ＿ＡＣＣＥＰＴを介してｅＰＬＭＮのリストを提供する。ｅＰＬＭＮのリストに提供されることができるｅＰＬＭＮの個数は、最大１５エントリーである。３ＧＰＰ ＴＲ  ２３．４０１及びＣ１−０７１８７９において、ＴＡリストがＴＭＳＩ ＲＥＡＬＬＯＣＡＴＩＯＮ ＣＯＭＭＡＮＤメッセージを調整する移動体加入者の一時的な識別（Temporary Mobile Subscriber Identity）（以下、“ＴＭＳＩ”と称する。）再割り当て手続き（すなわち、Ｓ−ＴＭＳＩ再割り当て手続き）のようなシステムアーキテクチャエボルーション（System Architecture Evolution：ＳＡＥ）で提供されることができることが論議された。しかしながら、３ＧＰＰ  ＴＲ  ２４．４０１だけでなく、Ｃ１−０７１８７９も意図されたＴＡリスト又はＴＡリストのサイズの符号化については提供しない。
【発明の概要】
【発明が解決しようとする課題】
【００１６】
したがって、本発明の目的は、従来技術と関連した問題点の中の少なくとも１つを解決することにある。
【課題を解決するための手段】
【００１７】
上記のような目的を達成するために、本発明の実施形態の一態様によれば、通信ネットワークと相互作用情報に従って相互作用する端末（ＵＥ）の動作方法は、少なくとも１つの入力パラメータに従う複数の相互作用情報を得るようにするために、上記少なくとも１つの入力パラメータとともに使用可能なアルゴリズムを上記端末に提供するステップと、上記ネットワークから上記少なくとも１つの入力パラメータを上記端末に送信するステップと、上記受信した少なくとも１つの入力パラメータとともに上記アルゴリズムを用いて複数の相互作用情報を決定するステップと、上記決定された複数の相互作用情報を用いて上記端末と上記ネットワークとの間に少なくとも１つの相互作用を決定するステップとを具備することを特徴とする。
【００１８】
“相互作用情報”という用語は、端末がネットワークと相互作用するのに影響を及ぼすか又はどのように相互作用するかを決定する情報又はデータを示すために使用される。上記相互作用情報は、端末と他の端末又はネットワークによりリレイされる他の宛先間のメッセージのコンテンツ（又はペイロード）を形成する情報又はデータと区分される。上記相互作用情報は、ネットワークと端末の動作と関連があり、コールのコンテンツ及びデータ送信とは関連がない。
【００１９】
相互作用情報（又はデータ）の例は、ネットワークの構成、ネットワークエレメントの位置及び／又はアドレス、ある処理のために使用されるプロトコル、使用可能なチャネル又は使用されるチャネル、端末が動作のために登録したネットワークの特定の位置、領域、又は一部分のための特定の環境に対するアクセスが許可されるか又は拒否されるかを示すシステムへのアクセス、端末がアクセスが許可されたネットワークへのｅＮＢ、アクセスが拒否された領域、端末が登録されるか端末が再登録要請なしに移動するか又はアップデートメッセージをシステムに送信することができるＴＡのリスト、マルチＴＡリスト、ＴＡ及び／又は端末に対するネットワークへのアクセスが許可されたＣＳＧ（Closed Subscriber Group）のホワイトリスト、“端末の現在のＴＡが現在の登録領域内にあるか又は領域外にあるか？”のような質問に対する応答、そして、現在の登録領域内にある端末の相対的な位置と関連した情報を含む。
【００２０】
上記決定された複数の相互作用情報は、様々な方法で使用される。例えば、端末が自身の登録をアップデートするか又は自身の位置に対するアップデートを提供するためにメッセージをネットワークに送信するか否かを決定するために使用される。したがって、上記決定された相互作用情報は、メッセージの送信をトリガーするために使用されることもある。
【００２１】
本発明の実施形態により提供される長所は、アルゴリズム及び受信されたパラメータを使用する端末で相互作用情報を決定することによりネットワークから端末に送信するデータ量が減少されることである。登録領域を定義するＴＡを識別する長いリストでありうる相互作用情報を送信する代わりに、ネットワークは、端末が情報を決定することができるパラメータを送信すればよい。
【００２２】
また、端末の特定の実施形態では、ＴＡの長いリストを格納することが要求されない。その代りに、それが簡単に特定のＴＡ(例えば、現在のＴＡ)が登録領域外にあるか否かを決定するために、受信されたパラメータを用いて予めプログラムされたアルゴリズムを使用することができる際に、ＴＡＵ要請をネットワークに送信するか否かを決定する。メモリは、それにより減少される。
【００２３】
入力パラメータは、複数の相互作用情報を計算するためにアルゴリズムを使用することができる。本発明の実施形態において、このような入力パラメータは、ネットワーク“領域”の形態、サイズ、及び一部分の中の少なくとも１つを示すパラメータを含み、ｅＮＢに対応するＴＡｓ、ＣＳＧｓ、又はＩＰアドレスを定義する。このようなパラメータから、このアルゴリズムは、特定の位置が定義された“領域”内にあり、これに従ってネットワークと相互作用するか否かを決定する。しかしながら、このようなものが必要でない実施形態では、アルゴリズムが明示的にリストを生成せず決定するために、このアルゴリズムは、このような決定のために受信されたパラメータからＴＡｓ／ＣＳＧｓ／ＩＰアドレスのリストを生成する。
【００２４】
本発明において、送信された入力パラメータは、ネットワークの領域又は一部分のサイズ、形態、又は位置の中の少なくとも１つを示す入力パラメータを含む。これは、例えば、端末が登録された（そして、登録が上記方法の一部分からなされた）ネットワークの一部分であってもよく、様々な方法で定義されてもよい。例えば、ＴＡの個数又は他のセル形態について定義されてもよい。
【００２５】
本発明において、上記決定された複数の相互作用情報は、特定の位置、領域、又は地域が上記ネットワークの領域又は一部分内にあるか否かを示す情報を含む。例えば、このような“特定の位置、領域又は地域”は、端末が現在位置している位置又は領域でありうる。
【００２６】
本発明において、上記決定された複数の相互作用情報は、また、ネットワークの領域又は一部分を定義するＴＡ識別コードのリストを含む。実施形態において、このような決定が端末とネットワーク間の少なくとも１つの相互作用を決定するために上記決定された複数の相互作用情報を使用するステップで実行されることができるとしても、上記決定された複数の相互作用情報は、また特定のＴＡ（例えば、ＵＥが現在位置しているＴＡ）が上記定義された領域又は一部分内にあるかを示す情報を含む。
【００２７】
言い換えれば、上記パラメータからリストを生成した後に、予めプログラムされたアルゴリズムを用いて、端末は、現在のＴＡが定義された領域内にあるか否かを決定し、そうでなければ、再登録及び／又は端末の位置に対するアップデートをネットワークに要請するメッセージを送信する。したがって、このような再登録／アップデートメッセージの送信（又は送信しない）は、上記決定された複数の相互作用情報により決定されたＵＥとネットワーク間の相互作用の一例である。
【００２８】
したがって、本発明において、上記決定された複数の相互作用情報を使用するステップは、上記端末が上記ネットワークの領域又は一部分内に位置しない場合に上記端末からメッセージを上記ネットワークに送信するステップを含む。上記ネットワークの領域又は一部分は、上記端末が登録された領域又は一部分であり、上記端末からメッセージを送信するステップは、上記ネットワークとともに上記端末が登録された位置をアップデートするためにメッセージを送信するステップを含むことができる。
【００２９】
本発明において、上記送信された入力パラメータは、ＴＡ識別コードの範囲を示す入力パラメータを含む。そして、上記決定された複数の相互作用情報は、上記範囲にある上記ＴＡ識別コードのリストを含むことができる。付加的に、上記決定された複数の相互作用情報は、特定のＴＡ識別コードが上記範囲内にあるか否かを示す指示を含む。本発明において、上記特定のＴＡ識別コードは、ＵＥが現在位置しているＴＡの識別コードである。
【００３０】
本発明によれば、上記送信された入力パラメータは、ネットワークのｅＮＢの各々に対応するインターネットプロトコル（ＩＰ）アドレスの範囲を示す入力パラメータを含む。そして、上記決定された複数の相互作用情報は、上記範囲内にある上記ＩＰアドレスのリストを含む。付加的に、上記決定された複数の相互作用情報は、特定のＩＰアドレスが上記範囲内にあるか否かを示す指示を含む。上記特定のＩＰアドレスは、上記端末が現在相互作用しているｅＮＢのＩＰアドレスである。
【００３１】
本発明によれば、複数のトラッキングエリア（ＴＡ）を含むセルラー通信ネットワーク及び端末（ＵＥ）の動作方法は、上記端末が複数のＴＡにより定義された登録領域内で動作のために上記ネットワークに登録するステップと、現在のＴＡが登録領域内にあるか否かを決定するために使用することができるアルゴリズムを上記端末に提供するステップと、上記ネットワークから上記アルゴリズムのための少なくとも１つのパラメータを上記端末に送信するステップと、上記端末の現在のＴＡ（すなわち、上記端末が現在ネットワークと通信することができる位置にあるＴＡ）を決定するステップと、上記現在のＴＡが上記登録領域内にあるか否かを決定するために上記端末で上記アルゴリズム及び上記パラメータを使用するステップと、上記現在のＴＡが上記登録領域外にある場合に登録をアップデートするために上記ネットワークと通信するステップとを含むことを特徴とする。
【００３２】
さらに、本発明の実施形態は、上述した方法の中のいずれか１つで使用される通信ネットワークを提供する。したがって、本発明の実施形態での通信ネットワークは、端末がアルゴリズムを使用することにより誘導することができる相互作用情報から得られるパラメータである少なくとも１つの入力パラメータを端末に送信することができる。本発明の実施形態において、通信ネットワークは、上記アルゴリズムを上記端末に提供することができる。あるいは、上記端末は、予めプログラムされるもののような方法で上記アルゴリズムの提供を受けることができる。
【００３３】
本発明によれば、端末は、アルゴリズムをプログラムに入力することができ、相互作用情報を得るためにネットワークから受信した少なくとも１つのパラメータとともに上記アルゴリズムを使用して上記情報に従ってネットワークとの相互作用を行うことができる。
【００３４】
本発明の実施形態の他の態様によれば、複数のトラッキングエリア（ＴＡ）を含むセルラー通信ネットワーク及び端末（ＵＥ）の動作方法は、上記端末が複数のＴＡにより定義された登録領域内で動作のために上記ネットワークに登録するステップと、上記登録領域を定義する上記複数のＴＡを識別する第１のリストを上記ネットワークから上記端末に送信するステップとを具備し、上記第１のリストを送信するステップは、Ｅ−ＵＴＲＡＮ基地局（ｅＮＢ）に対する上記第１のリストを含むシグナリングインターフェース（Ｓ１）メッセージを送信するステップと、上記基地局から上記第１のリストを含む複数のデータパケットを上記端末に送信するステップとを含むことを特徴とする。
【００３５】
本発明において、上記リストは、上記登録領域を形成するすべてのＴＡ（例えば、ＴＡコードを用いて）を識別する。しかしながら、他の実施形態において、上記リストは、上記登録領域を形成するすべてのＴＡを識別しないこともある。このような実施形態において、上記リストは、最大長さを有するシングルシグナリングインターフェースＳ１インターフェースメッセージに合うように（すなわち、送信されるように）サイズ調整によりある程度制限されることができる。
【００３６】
本発明において、上記Ｓ１インターフェースメッセージは、Ｓ１（ｅＮＢとＥＰＣとの間の制御プレーンのシグナリングインターフェース）−ＡＰ信号又はＳ１直接送信メッセージである。
【００３７】
本発明の実施形態において、上記方法は、上記Ｓ１インターフェースメッセージに合せるために上記第１のリストのサイズを調整するステップをさらに具備する。上記送信されたＳ１インターフェースメッセージは、付加のデータを有する。特に、上記リストのサイズは、上記付加のデータとともに上記Ｓ１インターフェースメッセージに合せるために調整されてもよい（例えば、上記リストの終わり部分が切れてもよい。）。すなわち、上記送信されたＴＡリストのサイズは、付加のデータを有し、残っているＳ１メッセージの一部分に合せるために調整されることができる。上記リストサイズは、存在するものと要請されるか又は希望される付加のデータを考慮してシングルメッセージの容量に従って調整されてもよい。
【００３８】
したがって、従来技術とは異なり、ＵＥに提供されるＴＡリストのサイズは固定されず、本発明に従って流動的に調整されてもよい。
【００３９】
本発明による方法は、付加の複数のＴＡと上記ネットワークにアクセスするように上記端末に許可する複数の限定加入者グループを識別する第２のリストを上記ネットワークから上記端末に送信するステップをさらに含み、上記第２のリストを送信するステップは、上記第１のリストと同一のＳ１インターフェースメッセージに含まれている上記第２のリストを送信し、上記複数のデータパケットは、上記第１のリストと上記第２のリストとを有する。
【００４０】
上記方法は、上記第１のリスト及び上記第２のリストを上記シングルＳ１インターフェースメッセージに合せるように、上記第１のリスト及び上記第２のリストの中の少なくとも１つのサイズを調整するステップをさらに含む。
【００４１】
上述したように、上記Ｓ１インターフェースメッセージは、付加のデータを有し、上記調整するステップは、上記付加のデータとともに上記第１のリスト及び上記第２のリストを上記Ｓ１インターフェースメッセージに合せるように上記第１のリスト及び上記第２のリストの中の少なくとも１つのサイズを調整するステップを含む。本発明の実施形態でのこのような調整は、上記第１のリスト及び上記第２のリストのサイズをそれぞれ調整するステップを含む。
【００４２】
したがって、本発明に従って、上記ネットワークは、固定されたサイズのリスト（マルチＴＡリスト又はいわゆる複数のＴＡ及び／又は複数のＣＳＧのホワイトリスト）を端末に送信するように制限されない。その代わりに、上記ネットワークは、シングルＳ１メッセージ内に上記リストを合せる間に、上記リストのサイズを調節し、必要に応じて予め定められた又は進化した基準に従ってこれらを調整することができる。これは、上記リストを上記ＵＥに伝達するための唯一の目的を有するメッセージであってもよく、あるいは、上記リストは、他の目的（事実上、上記メッセージの余分の容量を用いる）を有するメッセージ内に挿入されてもよい。
【００４３】
本発明において、上記Ｓ１インターフェースメッセージは、最大長さを有し、上記方法は、上記第２のリスト及び付加のデータとともに上記第１のリストが上記最大長さ以下を占める場合に、上記Ｓ１インターフェースメッセージの長さを切り捨てるステップを含む。上記長さを切り捨てるステップは、例えば、終了指示子とともに上記Ｓ１インターフェースメッセージを終了するステップを含むことができる。
【００４４】
本発明の実施形態は、メッセージの長さを切り捨てることにより、ｅＮＢから端末に送信されたパケット又はブロックの個数を減少させる効果を提供する。したがって、ブロックは、“ダミー”又は“フィラー”ＴＡ識別子を含んで不必要に送信されない。
【００４５】
上記リスト又は複数のリストは、本発明に従って様々な方法でデータパケットに分配されうる。したがって、一般的に、特定のパケット又はブロックは、リストエントリーの一部分、全体リストエントリー、又は一部分及び全体エントリーの組合せを有する。
【００４６】
上記ネットワークは、第１のリスト又は第１のリスト及び第２のリストをＳ１メッセージ内に送信するように制限されない。本発明の実施形態において、上記Ｓ１メッセージは、付加のリスト又は複数のリストを有してもよい。
【００４７】
本発明は、上記ＵＥが上記リスト又は複数のリストを有する上記データパケットを受信するステップと、上記ＵＥで上記受信されたリスト又は複数のリストを処理するステップとをさらに含む。ＵＥでのこのような過程は、特定のＴＡが上記複数のリストの中の１つで識別されたＴＡであるか否かを決定するステップを含むことができる。上記ＵＥが現在位置しているＴＡが上記第１のリストで識別されるか否かを決定し、現在のＴＡが上記第１のリストで識別されない場合に、上記ＵＥからメッセージを上記ネットワークに送信するステップをさらに含む。このようなメッセージは、例えば、ＴＡＵ要請でありうる。
【００４８】
本発明によれば、セルラー通信ネットワークは、モビリィティ管理エンティティ（ＭＭＥ）から上記第１のリストを有するＳ１インターフェースメッセージをｅＮＢに送信し、第１のリストを含む複数のデータパケットをｅＮＢから端末に送信することにより複数のＴＡを識別する第１のリストを端末に送信する。
【００４９】
本発明によれば、ＵＥは、ｅＮＢから送信される複数のデータパケット又はブロックに含まれている１つ以上のＴＡリストを受信し、上記受信されたリストを処理する。上記ＵＥは、現在のＴＡを受信されたリスト内で識別するか否かを決定し、これに従って、アップデート要請メッセージをネットワークに送信するもののような方法により応答する。
【発明の効果】
【００５０】
本発明の実施形態による効果は、ＵＥでアルゴリズム及び受信されたパラメータを用いて相互作用情報を導出することにより、ネットワークからＵＥに送信されなければならない多い量のデータを減少させることができることである。登録領域を定義するＴＡを識別する長いリストとなる相互作用情報を送信しなければならないものの代わりに、ネットワークは、ただＵＥが情報を導出することができるパラメータを送信すればよい。
【００５１】
また、本発明の実施形態において、ＵＥは、ＴＡの長いリストを格納する必要がない。その代りに、必要な場合に、簡単に特定のＴＡ（例えば、現在のＴＡ）が登録領域外にあるか否かを決定するために、受信されたパラメータとともに予めプログラムされたアルゴリズムを使用し、この後に、ＴＡＵ要請をネットワークに送信するか否かを決定することができる。したがって、メモリの要求量が減少される。
【図面の簡単な説明】
【００５２】
【図１】本発明が適用される通信ネットワーク及びＵＥを含む通信システムのアーキテクチャを示す図である。
【図２】本発明が適用される通信ネットワーク及びＵＥを含む通信システムのアーキテクチャを示す図である。
【図３】本発明に従ってＵＥでのアルゴリズム及び受信された入力パラメータを使用してＴＡリストの形態で相互作用情報の導出を示す図である。
【図４】本発明によるアルゴリズムをＵＥに提供する方法を示す図である。
【図５】本発明によるアルゴリズムをＵＥに提供する方法を示す図である。
【図６】本発明による方法が適用されるセルラーＵＥ通信ネットワークでのＴＡの配列を示す図である。
【図７】図６に示したＴＡ配列のようなＴＡを有するネットワークでの登録領域を示す図である。
【図８】本発明による方法でネットワークからＵＥへのＴＡコードまたは識別子リストの送信、Ｓ１インターフェースメッセージを用いたＭＭＥからｅＮＢへの送信、及びｅＮＢからＵＥへの無線インターフェースレイヤー２ブロックを示す図である。
【図９】本発明に従って送信された複数のＴＡリスト及び付加のデータを含むＳ１インターフェースメッセージを示す図である。
【図１０】本発明による任意のＵＥで実行される第１の方法を示すフローチャートである。
【図１１】本発明による任意のＵＥで実行される第２の方法を示すフローチャートである。
【発明を実施するための形態】
【００５３】
本発明の他の目的、利点、及び顕著な特徴は、添付された図面との結合を考慮すれば、後述する詳細な説明を参照してよりよく理解することができる。
【００５４】
以下、本発明の好適な一実施形態を添付図面を参照しつつ詳細に説明する。図面中、同一の参照符号は、同一の構成要素を示すのに使用される。本発明の下記の説明において、明瞭性と簡潔性の観点から、本発明に関連した公知の機能や構成に関する具体的な説明が本発明の要旨を不明瞭にすると判断される場合には、その詳細な説明を省略する。
【００５５】
図１は、３ＧＰＰにより定義されたように本発明が適用されるＳＡＥ／ＬＴＥ参照アーキテクチャを示す図である。
【００５６】
また、図１には、２Ｇ  ＧＳＭ／ＧＰＲＳシステム（ＧＥＲＡＮ＋ＳＧＳＮ）及び３Ｇ  ＵＭＴＳシステム（ＵＴＲＡＮ＋ＳＧＳＮ）が図示される。図１から、３ＧＰＰ  ２Ｇ及び３Ｇシステム及び３ＧＰＰのＳＡＥ／ＬＴＥから／への“リンクアップ”を見ることができる。
【００５７】
図２は、本発明が適用されるＥＰＣ及びＥＰＳと関連した通信ネットワーク及びＵＥを含む通信システムのアーキテクチャを示す。図２は、ＥＰＣの範囲の可視化を助ける。また、ＥＰＣは、図２でＨＳＳを含む。
【００５８】
“シードを埋め込む（implanting a seed）”１番目の方法は、直接複数のＴＡのリスト又はＴＡの複数のリストをＵＥに通知しないのである。この方法において、ＵＥは、例えば、カスタマイズされたソフトウェアの形態であるアルゴリズムを有する。さらに、アルゴリズム又はソフトウェア（又はこのシード）への入力パラメータの供給とともに、ＵＥは、複数のＴＡのリスト又は複数のＴＡの複数のリストを自然生成することができる。
【００５９】
図３は、シードを埋め込む方法を示し、特に、本発明に従ってＵＥでのアルゴリズム及び受信された入力パラメータを使用してＴＡリストの形態で相互作用情報の導出を示す。アルゴリズム又は実行可能なコードである情報の一部分がＵＥに与えられ、明確なＴＡのリスト（又は複数のリスト）は、与えられない。
【００６０】
ＵＥへの“シード”の送信は、“オフライン”技術を介してなされることができる。オフラインによれば、ＮＡＳ（Non-Access Stratum）は、実際の送信に含まれないことを意味する。複数のＴＡリストは、ＮＡＳのためのものであり、ＮＡＳにより使用されため、ここでは、ＮＡＳが引用される。従来技術において、ＥＰＣのＮＡＳは、ＵＥにあるＮＡＳに送信されるのであろう。ここで、図４に示すように、オフラインによれば、“シード”の送信又はアルゴリズム又は実行可能なコードは、応用レベルでオペレータ又はアプリケーション又は短文メッセージサービス（ＳＭＳ）又は非構造化補助サービスデータ（Unstructured Supplementary Service Data：ＵＳＳＤ）によりＵＥの初期供給の時点で実行される。
【００６１】
また、オフライン送信は、シード、例えば、登録シグナリングの間に又はＵＥが登録されたキャンパスに特定のシードのためのオフラインシグナリングで検索されることができるサーバのアドレスをダウンロードするためにサーバを尋問するＵＥを含む。
【００６２】
他の実施形態において、シードの送信は、プロトコルシグナリングを介してなされてもよい。図５に示すように、このような技術において、シード（又はアルゴリズム又は実行可能なコード）は、登録又は登録アップデートの間にＵＥとＥＰＣとの間で実行されるＮＡＳ手続きの一部分として伝達されることができる。
【００６３】
図３に示すように、このようなシードへの幾つかの入力パラメータがあり得る。このような入力は、シードそれ自体として同一の方法で、すなわち、図４及び図５に示すような技術によりＵＥに提供されることができる。
【００６４】
図１０は、ＵＥがネットワークへのＴＡ位置をアップデートしなければならないか否かを決定するためにチェックされることができるＴＡ識別コードのリストを生成するためにＵＥで入力パラメータが使用される論理的なフローの例を示す。
【００６５】
図１１は、ＵＥがネットワークへのＴＡ位置をアップデートしなければならないか否かを決定するためにｅＮＢによりブロードキャストされるＴＡ識別コードとともに入力パラメータがＵＥでシードにより使用される論理的なフローの例を示す。
【００６６】
図６は、本発明による方法が適用される通信ネットワークを示す。図６は、基本的なネットワークプランニングのために使用され得る類型のＵＥシステムのための簡素なＴＡレイアウト（６角形アレイ）を示す。ＴＡは、中央ＴＡから同心円レイヤーで時計方向に０からｎまで番号付けされる。
【００６７】
このようなＴＡレイアウトを使用すると、それぞれの識別子を明示的にシグナリングする必要なしにシードフォーミュラを使用してレイヤーの個数又はＴＡグループのサイズを明示することにより、ＴＡのダイナミックグループを表現することができる。
【００６８】
例えば、各レイヤーは、中央ＴＡから移動する６つのコーナーＴＡ（ｃＴＡｓ）（例えば、｛１，２，３，４，５，６｝、｛７，９，１１，１３，１５，１７｝｛１９，２２，２５，２８，３１，３４｝…。）を有する。このｃＴＡがｃＴＡ０．．ｃＴＡ５で番号が付けられる場合に、各レイヤーのコーナーシーケンスは、次の数式（１）のように表現されることができる。
数式（１）
ｃＴＡｉ（ｎ）＝３ｎ２＋（ｉ−３）ｎ＋１
ここで、“ｎ”は、論議中であるレイヤーの個数であり、“ｉ”は、このレイヤーでのｉ番目のコーナー位置である。
【００６９】
この場合に、上記のようなシーケンスディスクリプターは、中央ＴＡ“０”及び中央ＴＡから移動する各同心円レイヤーのｃＴＡからすべての隣りを識別するシードを構成する。このレイヤーでの他のＴＡは、次の数式（２）のようにｃＴＡに関連した位置として表現されることができる。
数式（２）
ＴＡ  Ｘ＝ｃＴＡｉ（ｎ）−ｙ
ここで、Ｘは、ＴＡ個数であり、ｙは、最も近接した高い値のｃＴＡからのオフセットである。
【００７０】
第１のＴＡ（ｃＴＡ０）が各レイヤーで開始ＴＡ又はｓＴＡといわれる場合に、ｓＴＡが位置した値を確認することにより現在のＴＡが位置するレイヤーを識別することができる。ＴＡが位置するレイヤーの他の側でのＴＡ値は、数式（３）及び数式（４）で決定される。
数式（３）
Ｉｎｎｅｒ  Ｌａｙｅｒ  ｃＴＡｓ＝ｃＴＡｉ（ｎ−１）＝３（ｎ−１）２＋（ｉ−３）（ｎ−１）＋１
数式（４）
Ｏｕｔｅｒ  Ｌａｙｅｒ  ｃＴＡｓ＝ｃＴＡｉ（ｎ＋１）＝３（ｎ＋１）２＋（ｉ−３）（ｎ＋１）＋１；
【００７１】
内部及び外部レイヤーでのｃＴＡ及びＴＡ値を認識すると、各ＴＡのための隣接ＴＡを計算することができる。
【００７２】
ｃＴＡに対して、この過程は、かなり簡素である。同一のレイヤーに位置する隣接ＴＡは、次の通りに表現される。
ｃＴＡｉ（ｎ）−１；
ｃＴＡｉ（ｎ）＋１
【００７３】
ｃＴＡに対して、内部レイヤーに位置する１つの隣接ＴＡのみが存在し、これは、次の通りに表現されることができる。
ｃＴＡｉ（ｎ−１）；
【００７４】
また、外部レイヤーにある３個の隣りの中の１つは、ｃＴＡとして表現される。
ｃＴＡｉ（ｎ＋１）；
そして、残りは、これと他の側に位置する。
ｃＴＡｉ（ｎ＋１）−１；
ｃＴＡｉ（ｎ＋１）＋１
【００７５】
したがって、ｃＴＡ２（Ｒ）４であるＴＡ４５を考慮すると、その隣りは、次の通りに表現される。
ｃＴＡ２（４）−１；ｃＴＡ２（４）＋１；ｃＴＡ２（３）；ｃＴＡ２（５）；ｃＴＡ２（５）−１；＆ｃＴＡ２（５）＋１；
【００７６】
このような表現は、次の通りに計算されることができる。
４４，４６，２５，７１，７０＆７２
【００７７】
ｎｏｎ−ｃＴＡｓに対して、この過程は、ほんの少し複雑である。例えば、ＴＡ３２に関連して、シードがすでに知られているため、ＴＡ３２がｓＴＡｓ１９＆３６の間に位置し、したがって、３レイヤーに位置すると決定することができる。同一のレイヤーに位置している隣りの中の２つがＴＡｓ３１＆３３であることは暗示的に知られている。このシードを使用すると、ＴＡ３１がｃＴＡ４（３）であることが計算されることができ、ｃＴＡに関連したＴＡ３２の位置を認識することは、内部レイヤー及び外部レイヤーにそれぞれ位置した２個の残った隣りを計算することにより可能である。
【００７８】
したがって、数式（４）で次の数式（５）のようであれば、内部レイヤーに位置した隣りは、数式（６）及び数式（７）のように計算されることができる。
数式（５）
ＴＡ３２＝ｃＴＡ４（３）＋１；
数式（６）
ｃＴＡ４（２）＋１＝３（２）２＋（４−３）２＋２＝１６；
数式（７）
ｃＴＡ４（２）＝３（２）２＋（４−３）２＋１＝１６＝１５；
【００７９】
同様に、外部レイヤーに位置した隣りは、数式（８）及び（９）で計算されることができる。
数式（８）
ｃＴＡ４（４）＋１＝３（４）２＋（４−３）４＋２＝５４；
数式（９）
ｃＴＡ４（４）＋２＝３（４）２＋（４−３）４＋２＝５５；
【００８０】
中央ＴＡに対しては、数式（１０）に示すように、ｃＴＡｘ（０）が常に同一であるために一般的なシードのルールに従わない問題点がある。
数式（１０）
３（０）２＋（０−３）０＋１＝１；
したがって、ｃＴＡ（０）＝０のような特定の条件を含まなければならない。
【００８１】
上記のような条件が与えられると、ネットワークがＴＡレイヤーの個数でＴＡグループサイズをシグナリングすることにより端末により簡素に使用されるＴＡのリストを示すことが可能である。例えば、端末が現在ＴＡ３にキャンプされており、ネットワークがＴＡグループサイズ３をシグナリングする場合に、端末は、ＴＡ３の隣接ＴＡ及びその隣りのそれぞれの識別子を識別することによりグループ内のすべてのＴＡの識別子を計算することができる。
【００８２】
図７は、現在のＴＡ＝３及びグループサイズ＝３のアルゴリズムに対する入力パラメータから計算された登録領域に対応するＴＡのセットの例を示す。このセットは、ＴＡ＝３の中心にある３レイヤー６角形に対応する。したがって、ＵＥがアルゴリズムを使用することによりただ２個の入力パラメータから登録領域に位置した他のＴＡの個数を計算することができる。このセットには、３７個のＴＡが含まれる。
【００８３】
一般的に、入力パラメータを提供することにより中央ＴＡ及びレイヤーの個数を識別することは、ＴＡのグループに対する６角形のカバレッジ領域を伝達する。しかしながら、他の実施形態において、特定のＴＡの間の範囲内にある１つのレイヤー内のセルをマスキングすることによりカバレッジ領域の全体的な形態を合せるために（１つ以上の付加のパラメータの形態で）付加の情報がＵＥにシグナリングされることができる。したがって、カバレッジ領域の形態を示すパラメータは、特定の実施形態で送信される。このような修正されたカバレッジ領域は、図７に示す（ＴＡ３に中心をおいた元来の６角形の領域は、ＴＡｓ  ３１−３６、１９、４９−６０、及び３７−４１を含むように拡張される。）。
【００８４】
この例は、規則的なＴＡレイアウトと関連があってもかなり複雑である。このような種類のレイアウトがｅＮＢの位置及び局所地形により相互に異なるカバレッジ領域を有するＴＡを含むオーバーレイとして使用されることができるとしても、フィールドネットワークは、このような方式で計画されないのであろう。しかしながら、これは、シードを有し、動的にＴＡリストを生成するために最小の情報を提供する一般的な概念を示すために設計される。
【００８５】
以下では、一般的なシード概念（すなわち、アルゴリズムをＵＥに提供した後に、このアルゴリズムが相互作用情報を生成するか又は得るのに使用する１つ以上のパラメータを送信する。）を用いる本発明による他の方法を説明する。また、これは、キャンパス配置の場合にＩＰサブネットを再使用する例として説明される。
【００８６】
シード概念に従うこのような他の実施形態は、ＵＥがＴＡＵ／再登録を実行する必要がないＴＡのグループがどんなものであるかをキャンパス配置のために特に効率的であり得る。事実上、ＵＥが“ｎｏｎ−ｕｐｄａｔｅ”グループの一部分として考慮すべきＴＡがどんなものであるかを識別することができるようにするためのインターネット技術を実際に使用し、このＴＡグループ内にあるＵＥは、ＴＡＵ／再登録を実行する必要がない。
【００８７】
このような例において、各ｅＮＢがＩＰアドレスを有すると仮定すると、キャンパス配置において、このアドレスは、ＩＰサブネットに対して割り当てられるものと類似した方法で割り当てられることができる。同一のグループ内に位置したＴＡを識別するために又は特定の現在のＴＡが同一のアップデートしない（non-update）又は許可されたグループ内に位置するか否かを識別するために、端末でサブネットマスキングタイプソリューションを使用することが可能である。
【００８８】
例えば、説明の便宜上、ＩＰｖ４アドレスフォーマットを使用する場合に（事実上、ＩＰｖ６アドレスが使用される可能性が高いが、キャンパス内にある１０２４ＴＡまでのグループは、１３６．１６８．０．０と１３６．１６８．３．２５５との間の範囲のＩＰアドレスが割り当てられる。２５５．２５５．２５２．０サブネットマスクとＴＡアドレスの範囲内にある１番目のアドレスを使用すると、端末は（ビットＡＮＤｉｎｇにより）、アップデートが必要でない（すなわち、同一のキャンパス内に位置する）ＴＡを迅速に識別することができる。
【００８９】
例えば、
２５５．２５５．２５２．０       ｂｉｔＡＮＤｅｄ ｗｉｔｈ   １３６．１６８．２．２４＝１３６．１６８．０．０；
すなわち、このＴＡは、“許容された（permitted）グループ”内にある。
２５５．２５５．２５２．０       ｂｉｔＡＮＤｅｄ ｗｉｔｈ   １３６．１６８．４．０＝１３６．１６８．４．０
すなわち、このＴＡは、許容されたグループの外にある。
【００９０】
したがって、（入力パラメータとともに提供される）このアルゴリズムを用いて誘導されたサブネットマスク形態の相互作用情報と（ＴＡのＩＰアドレス形態の）ＴＡ識別子は、ＴＡが許容されたグループ内にあるか否かを示す情報の一部分である。次いで、ＴＡが、ＵＥがアップデートを実行する許容されたグループ外にある場合に、ＵＥは、この誘導された情報に従ってネットワークと相互作用し、ＴＡが許容されたグループ内にある場合に、ＵＥは、ネットワークと相互作用しない。
【００９１】
したがって、このような実施形態において、ネットワークは、ＵＥが許可されたＴＡを識別するようにするために現在のＴＡのＩＰアドレス及びサブネットマスク（キャンパスサイズ）だけをＵＥに提供すればよい。
【００９２】
これは、キャンパスの外で実行するのがさらに難しいかもしれない。しかしながら、このような方法でＴＡのさらに広いネットワークを配置することができる。
【００９３】
以下では、本発明によるもう１つの方法について説明する。まず、ＭＭＥがＴＡのリストを提供することは自明である。これは、Ｓ１インターフェースを介してＭＭＥにより提供され、無線レイヤー２データブロックにより無線インターフェースを介して伝達される。無線インターフェースレイヤー２ブロックの各々が約７２ビット程度で小さい方であれば、これは、多くの無線インターフェース無線レイヤー２ブロックでありうる。図８は、複数の無線インターフェースレイヤー２ブロックを誘導するＳ１インターフェースメッセージを示す。
【００９４】
複数の無線インターフェースレイヤー２ブロックが必要であっても、分割されたＳ１−アプリケーションパート（ＡＰ）メッセージを使用する可能性が低い。Ｓ１−ＡＰデータ送信手続きが現在のＵＭＴＳ及び／又はＧＳＭ／ＧＰＲＳ（それぞれＩｕ及び／又はＡ／Ｇｂ手続き）と適正に維持される場合には、Ｓ１−ＡＰ及びＳ１直接送信メッセージは、２５６バイトに維持されうる。これは、ＳＣＣＰ接続要請メッセージのサイズの制約のためである。
【００９５】
このような方法が説明することは、ＭＭＥがＳ１メッセージの分割なしにＳ１−ＡＰ直接送信メッセージサイズに対する物理的な限界に対してマルチＴＡリスト及びホワイトリストで提供されるＴＡの個数をダイナミックに調節するようにするのである。
【００９６】
したがって、ＭＭＥは、マルチＴＡリストに含まれているＴＡの個数とＭＭＥがプログラムされた判断又は基準に基づくホワイトＴＡリストに含まれているＴＡの個数の全体的な調節及び制御が可能である。
【００９７】
この方法において、マルチＴＡリスト及びホワイトＴＡリストに含まれているＴＡの個数は、流動的であり、全体的にそれ以外に伝達される必要があることを供給した後に−Ｓ１インターフェースを介した分割なしにシングルＳ１−ＡＰ又はＳ１直接送信メッセージの最大サイズまで満たす。
【００９８】
他の情報だけでなくＴＡの総個数がシングルＳ１−ＡＰメッセージ又はＳ１直接送信メッセージのサイズより小さくて使用されない場合に、Ｓ１−ＡＰメッセージ又はＳ１直接送信メッセージの不必要な空間は、“フィラー”ダミーＴＡに付け加えられるべきではない。これは、無線インターフェースレイヤー２ブロックを介して個数を減少させるために提供しうる。
【００９９】
提供された複数のＴＡのエンドに到達することを示すためにテール終了指示子が導入される。これは、マルチＴＡの長さ指示子及びホワイトＴＡの長さ指示子の必要を除去した。例えば、このようなテール終了指示子は、使用可能なＴＡ識別子、例えば、Ｈ’ＦＦＦＥ（１６進数ＦＦＦＥ）として解釈されることができない識別子を有するＴＡである。あるいは、ＴＡリストの各々に対して２個のテール終了指示子が使用されることができる。
【０１００】
マルチＴＡとホワイトＴＡとの間の分配、すなわち、どこでマルチＴＡが終了され、どこでホワイトＴＡリストが開始されるか（又はその反対）は、情報エレメント（ＩＥ）識別子、例えば、Ｈ’ＦＦＦＥ（ＦＦＦＥの１６進符号化）の前端を有する次のＴＡリストの情報エレメント識別子（ＩＥＩ）を通る。
【０１０１】
図９は、上述した方法、特に、本発明に従ってネットワークで生成され（例えば、ＭＭＥからｅＮＢに）送信されたＳ１メッセージのコンテンツを示す方法を示す。上記図面は、無線インターフェースを介して送信される部分を示し、終わりの部分ではない。
【０１０２】
上述した内容から本発明の実施形態で関連ＴＡリストを“グロー（grow）”するためのシードを使用する方法は非常に柔軟性があり、（シグナリングメッセージで占めるバイトの形態で）非常に少ないシグナリングペイロードを使用することをわかる。
【０１０３】
また、シグナリングメッセージ内で全体的に可変的なＴＡサイズを使用する方法は、情報エレメントの最大サイズを限定するが、むしろ全体シグナリングメッセージの最大サイズまで限定することをわかる。
【０１０４】
また、本発明の実施形態は、ネットワークによりＵＥに完壁なＴＡに関する情報を提供し、ネットワークにより意図された通りにＵＥが完壁なＴＡを得るようにするもののような様々なアプリケーションで使用されうる。
【０１０５】
本発明は、ＵＥがこの意図された完壁な全体ＴＡリストを得るようにする関連した明示的又は暗示的な情報をネットワークが提供することができる方法を開示する。
【０１０６】
本発明は、受信された関連した明示的又は暗示的な情報を有するＵＥが、ネットワークがＵＥが有することを希望するこの意図された完壁な全体ＴＡリストを得ることができる方法を開示する。
【０１０７】
本発明は、ＵＥが明示的な意図された情報を得るようにする関連した明示的又は暗示的な情報をネットワークが提供することができる方法を開示する。本明細書で提供されるこのような情報の例は、意図されたＴＡリストを含む。しかしながら、このような方法は、主にネットワークがＵＥに受信するように要請する情報のタイプに適用されることができる。
【０１０８】
本発明は、受信された関連した明示的又は暗示的な情報を有するＵＥがネットワークがＵＥが有することを希望するこの意図された拡張された完壁な量の情報を得ることができる方法を開示する。本明細書で提供されるこのような情報の例は、意図されたＴＡリストを含む。しかしながら、このような方法は、主にＵＥがネットワークから必要とする情報のタイプに適用されることができる。
【０１０９】
本明細書の詳細な説明及び請求項を介して文章が異なるように要求されない限り、単数は、複数を含む。特に、文章が異なるように要求されない限り、不定冠詞が使用されたところで、本明細書は、単数だけでなく複数を考慮するものと理解されなければならない。
【０１１０】
本発明の特定の側面又は実施形態とともに説明された図面、整数、または特徴は、これらが両立することができない限り本明細書で記述された他の側面又は実施形態にも適用されることができる。
【図１】
2010541453.tif 000003
【図２】
2010541453.tif 000004
【図３】
2010541453.tif 000005
【図４】
2010541453.tif 000006
【図５】
2010541453.tif 000007
【図６】
2010541453.tif 000008
【図７】
2010541453.tif 000009
【図８】
2010541453.tif 000010
【図９】
2010541453.tif 000011
【図１０】
2010541453.tif 000012
【図１１】
2010541453.tif 000013
【国際調査報告】
2010541453.tif 000014
2010541453.tif 000015